(57)【要約】【課題】ウェブやクリーニング液の交換作業を容易に行うことが可能な印刷装置を提供する。【解決手段】印刷用版を保持する版ドラム７Ａと、前記印刷用版上の製版画像を現像する現像装置９Ａと、版ドラム７Ａに当接して前記印刷用版からインキを転写される転写ドラム１０Ａと、クリーニング装置１１Ａとを有する印刷装置１において、クリーニング装置１１Ａとして、転写ドラム１０Ａに接触してこれをクリーニングするウェブ２９及びウェブ搬送機構及びウェブ押圧機構２７を有するクリーニングマガジン２１とウェブ２９に対してクリーニング液３５を供給するクリーニング液供給装置２２とを有するものを用い、クリーニングマガジン２１を印刷装置本体２に対して着脱自在とした。【選択図】                        図２
2005035142.tif 000002
【特許請求の範囲】
【請求項１】
外周面上に印刷用版を保持する版ドラムと、前記印刷用版にインキを供給して前記印刷版上の製版画像を現像する現像装置と、前記版ドラムに当接して前記印刷用版からインキを転写される転写ドラムと、前記転写ドラムをクリーニングするクリーニング装置とを有する印刷装置において、
前記クリーニング装置は、前記転写ドラムに接触して前記転写ドラムをクリーニングするウェブ及び前記ウェブを搬送するウェブ搬送機構及び前記ウェブを前記転写ドラムに押圧させるウェブ押圧機構を有するクリーニングマガジンと、前記ウェブに対してクリーニング液を供給するクリーニング液供給装置とを有し、前記クリーニングマガジンが印刷装置本体に対して着脱自在であることを特徴とする印刷装置。
【請求項２】
請求項１記載の印刷装置において、
前記クリーニングマガジンは、外側を覆うカバーを有すると共に該カバーの内部に前記ウェブをロール状に巻成したウェブロールを回転自在に支持し、前記カバーは前記ウェブロールの交換を容易とすべく開閉自在に構成されていることを特徴とする印刷装置。
【請求項３】
請求項１または請求項２記載の印刷装置において、
前記クリーニングマガジンは、前記印刷装置本体に装着された際に前記ウェブに対して前記クリーニング液の供給が可能となる開口を有することを特徴とする印刷装置。
【請求項４】
請求項１ないし請求項３のうちの何れか１つに記載の印刷装置において、
前記クリーニング液供給装置は前記クリーニング液を貯留する貯留部を有し、該貯留部は前記印刷装置本体の前部に前記クリーニング液を補充するための補給口を有することを特徴とする印刷装置。
【請求項５】
請求項４記載の印刷装置において、
前記貯留部は前記クリーニング液の残量を検知する残量検知手段を有することを特徴とする印刷装置。
【請求項６】
請求項４記載の印刷装置において、
前記貯留部は前記クリーニング液の残量を目視可能に構成されていることを特徴とする印刷装置。
【請求項７】
請求項１ないし請求項６のうちの何れか１つに記載の印刷装置において、
前記クリーニング液供給装置は、前記クリーニング液を所定量ずつ間欠的に送出可能なポンプを有することを特徴とする印刷装置。
【請求項８】
請求項１ないし請求項７のうちの何れか１つに記載の印刷装置において、
前記クリーニング液供給装置は、複数の噴出口を有し前記ウェブに対してクリーニング液を均一に供給する配液パイプを有することを特徴とする印刷装置。
【請求項９】
請求項１ないし請求項８のうちの何れか１つに記載の印刷装置において、
前記クリーニング装置は、回転する前記転写ドラムに前記ウェブを押圧すると共に前記クリーニング液を前記ウェブに所定量供給し、前記クリーニング液を供給された前記ウェブが前記転写ドラムに所定時間押圧した後に前記ウェブ搬送機構により前記ウェブを所定量送り出すことを特徴とする印刷装置。
【発明の詳細な説明】
【０００１】
【発明の属する技術分野】
本発明は、版ドラムと転写ドラムとを有する印刷装置に関し、詳しくは転写ドラムのクリーニングを行うクリーニング装置に関する。
【０００２】
【従来の技術】
版ドラムの外周面上に印刷用版を巻装し、この印刷用版を製版装置によって製版した後、形成された製版画像を顕像化してこれを転写ドラムに転写し、転写された画像を用紙に再転写して印刷物を得る印刷装置が知られている。この印刷装置では、印刷用版を交換した場合あるいは多枚数の印刷によって転写ドラムが汚損した場合等に、転写ドラムをクリーニングする必要が生じる。そこで、転写ドラムをクリーニングするクリーニング装置を具備した印刷装置が、例えば「特許文献１」、「特許文献２」、「特許文献３」にそれぞれ開示されている。
【０００３】
【特許文献１】
特許第２９４４９４３号公報  （第２−３頁、図１）
【特許文献２】
特開平８−２１６３８３号公報  （第４頁、図１）
【特許文献３】
特公平７−７５８８７号公報  （第３−４頁、図１）
【０００４】
【発明が解決しようとする課題】
しかし、上述した各公報に開示された技術では、以下のような問題点がある。「特許文献１」に開示された技術では、洗浄液で湿らせた洗浄ローラによって転写ドラムをクリーニングしているため、洗浄ローラと転写ドラムとの接触時において騒音が発生すると共に、洗浄液を拭き取る手段がないために悪臭が発生してしまうという問題点がある。また、「特許文献２」及び「特許文献３」に開示された技術では、それぞれウェブによって転写ドラムをクリーニングしているが、クリーニング装置が印刷装置本体に一体的に設けられているため、ウェブの初期セットやクリーニング液の補充が困難であるという問題点を有している。
本発明は上記問題点を解決し、ウェブやクリーニング液の交換作業を容易に行うことが可能な印刷装置の提供を目的とする。
【０００５】
【課題を解決するための手段】
請求項１記載の発明は、外周面上に印刷用版を保持する版ドラムと、前記印刷用版にインキを供給して前記印刷版上の製版画像を現像する現像装置と、前記版ドラムに当接して前記印刷用版からインキを転写される転写ドラムと、前記転写ドラムをクリーニングするクリーニング装置とを有する印刷装置において、前記クリーニング装置は、前記転写ドラムに接触して前記転写ドラムをクリーニングするウェブ及び前記ウェブを搬送するウェブ搬送機構及び前記ウェブを前記転写ドラムに押圧させるウェブ押圧機構を有するクリーニングマガジンと、前記ウェブに対してクリーニング液を供給するクリーニング液供給装置とを有し、前記クリーニングマガジンが印刷装置本体に対して着脱自在であることを特徴とする。
【０００６】
請求項２記載の発明は、請求項１記載の印刷装置において、さらに前記クリーニングマガジンは、外側を覆うカバーを有すると共に該カバーの内部に前記ウェブをロール状に巻成したウェブロールを回転自在に支持し、前記カバーは前記ウェブロールの交換を容易とすべく開閉自在に構成されていることを特徴とする。
【０００７】
請求項３記載の発明は、請求項１または請求項２記載の印刷装置において、さらに前記クリーニングマガジンは、前記印刷装置本体に装着された際に前記ウェブに対して前記クリーニング液の供給が可能となる開口を有することを特徴とする。
【０００８】
請求項４記載の発明は、請求項１ないし請求項３のうちの何れか１つに記載の印刷装置において、さらに前記クリーニング液供給装置は前記クリーニング液を貯留する貯留部を有し、該貯留部は前記印刷装置本体の前部に前記クリーニング液を補充するための補給口を有することを特徴とする。
【０００９】
請求項５記載の発明は、請求項４記載の印刷装置において、さらに前記貯留部は前記クリーニング液の残量を検知する残量検知手段を有することを特徴とする。
【００１０】
請求項６記載の発明は、請求項４記載の印刷装置において、さらに前記貯留部は前記クリーニング液の残量を目視可能に構成されていることを特徴とする。
【００１１】
請求項７記載の発明は、請求項１ないし請求項６のうちの何れか１つに記載の印刷装置において、さらに前記クリーニング液供給装置は前記クリーニング液を所定量ずつ間欠的に送出可能なポンプを有することを特徴とする。
【００１２】
請求項８記載の発明は、請求項１ないし請求項７のうちの何れか１つに記載の印刷装置において、さらに前記クリーニング液供給装置は複数の噴出口を有し前記ウェブに対してクリーニング液を均一に供給する配液パイプを有することを特徴とする。
【００１３】
請求項９記載の発明は、請求項１ないし請求項８のうちの何れか１つに記載の印刷装置において、さらに前記クリーニング装置は、回転する前記転写ドラムに前記ウェブを押圧すると共に前記クリーニング液を前記ウェブに所定量供給し前記クリーニング液を供給された前記ウェブが前記転写ドラムに所定時間押圧した後に前記ウェブ搬送機構により前記ウェブを所定量送り出すことを特徴とする。
【００１４】
【実施例】
図１は、本発明の一実施例を採用した印刷装置の概略正面図である。同図において印刷装置１は、印刷装置本体２、２つの画像形成部３Ａ，３Ｂ、給紙部４、用紙搬送部５、排紙トレイ６等を有している。
【００１５】
画像形成部３Ａは、版ドラム７Ａと、版ドラム７Ａ上に巻装された図示しない印刷用版に対して製版画像を形成する書き込み装置８Ａと、版ドラム７Ａ上の印刷用版にインキを供給して製版画像を現像する現像装置９Ａと、版ドラム７Ａに対向して配設され印刷用版の製版画像を転写される転写ドラム１０Ａと、転写ドラム１０Ａの表面をクリーニングするクリーニング装置１１Ａとを有している。なお、画像形成部３Ｂは画像形成部３Ａと同様に構成されており、以下に説明する画像形成部３Ａの構成中における符号Ａに代えて符号Ｂを付して図１に示すに止め、特に説明を要する部位を除いては個々の詳細な説明を省略する。
【００１６】
版ドラム７Ａは印刷装置本体２に設けられた図示しない一対の側板間に回転自在に支持されており、その外周面上には図示しない印刷用版が巻装されている。本実施例において、図示しない印刷用版は版ドラム７Ａの内部にロール状態で収納されており、必要に応じて引き出されて使用される。この印刷用版は加熱されることによりインキ反撥性が失われてインキ受容性に変性する性質のものが用いられており、この印刷用版の一例が例えば特開平９−３１５００４号公報に開示されている。
【００１７】
版ドラム７Ａの右方には書き込み装置８Ａが配設されている。書き込み装置８Ａは、電気回路等で生成された画像データに基づいて図示しない印刷用版に向けてレーザを照射して印刷すべき画像を製版画像として書き込み、図示しない印刷用版の画像書き込み部をインキ反撥性からインキ受容性に変性させる。
【００１８】
版ドラム７Ａの上方には現像装置９Ａが配設されている。現像装置９Ａは、赤色のインキが収容されたインキボトル、図示しない駆動手段により回転駆動される現像ローラ、現像ローラ上のインキを均す均しローラ等をケーシングの内部に有している。現像装置９Ａは、図示しない移動手段の作動により図示しない版ドラム表面に対して現像ローラが接離自在となるようにそのケーシングが移動自在であると共に、版ドラム７Ａの上下動に付随してこれと一体的に上下動自在に構成されている。なお現像装置９Ｂは、インキボトルの内部に黒色のインキが収容されている点で現像装置９Ａと相違しており、他の構成は同一である。
【００１９】
版ドラム７Ａの下方には転写ドラム１０Ａが配設されている。転写ドラム１０Ａは外周面に転写部材を有しており、図示しない駆動手段によって回転駆動される。転写ドラム１０Ａは転写部材が版ドラム７Ａの外周面に対して近接する位置に配設されており、その外周面には後述する用紙搬送部５に設けられたくわえ爪１８Ａ，１８Ｂとの干渉を回避するための切欠部１０Ａａが形成されている。
【００２０】
転写ドラム１０Ａの右方には、本発明の特徴部であるクリーニング装置１１Ａが配設されている。このクリーニング装置１１Ａの詳細な構成については後述する。
【００２１】
印刷装置本体２の右下方には給紙部４が配設されている。給紙部４は、用紙Ｐを積載して上下動可能な給紙トレイ２０、給紙トレイ２０上に積載された用紙Ｐの最上位の１枚を送り出す給紙ローラ１２等を有する周知の構成である。
【００２２】
給紙部４の左方であって各転写ドラム１０Ａ，１０Ｂの下方に位置する部位には、給紙部４より給送された用紙Ｐを搬送すると共にその一方の面に印刷画像を転写させる用紙搬送部５が配設されている。用紙搬送部５は、駆動ローラ１３、従動ローラ１４、無端ベルト１５、プレスローラ１６Ａ，１６Ｂ、用紙搬送ローラ対１７等を有している。
【００２３】
駆動ローラ１３及び従動ローラ１４は、用紙搬送部５の図示しないユニット側板にそれぞれ回転自在に支持されており、駆動ローラ１３には図示しない駆動手段からの回転駆動力が伝達される。駆動ローラ１３と従動ローラ１４とには複数の無端ベルト１５が掛け渡されており、各無端ベルト１５は駆動ローラ１３の回転により図１の矢印方向に移動する。各無端ベルト１５は、その周長が転写ドラム１０Ａ，１０Ｂの周長の整数倍（本実施例では２倍）となるように構成されており、その上面には給紙部４より給送された用紙Ｐを保持するための開閉自在なくわえ爪１８Ａ，１８Ｂが、それぞれ等間隔となる位置に設けられている。このくわえ爪１８Ａ，１８Ｂの詳細な構成は、本願出願人と同一出願人による特開２００１−３４１２８２号公報に記載されている。
【００２４】
転写ドラム１０Ａ，１０Ｂと対向する位置にそれぞれ設けられたプレスローラ１６Ａ，１６Ｂは図示しないアーム部材にそれぞれ回転自在に支持されており、各アーム部材が図示しない揺動手段によって揺動することにより、無端ベルト１５上に保持された用紙Ｐを介して対応する転写ドラム１０Ａ，１０Ｂに対してそれぞれ接離自在に構成されている。また、プレスローラ１６Ａ，１６Ｂの用紙搬送方向下流側には、画像転写後の用紙Ｐが転写ドラム１０Ａ，１０Ｂに巻き上げられることを防止するための分離ローラ１９Ａ，１９Ｂが配設されている。
【００２５】
駆動ローラ１３の左方には用紙搬送ローラ対１７が配設されている。図示しない駆動手段によって回転駆動される駆動ローラとこれに圧接された従動ローラとからなる用紙搬送ローラ対１７は、くわえ爪１６Ａ，１６Ｂによってその先端をくわえられて搬送されくわえ爪１６Ａ，１６Ｂが開放されることでフリーとなった用紙Ｐの先端をくわえ込み、機外に向けて排出する。
【００２６】
印刷装置本体２の左下方には排紙トレイ６が配設されている。排紙トレイ６は、用紙搬送ローラ対１７によって排出される用紙Ｐの先端を受け止めるエンドフェンス６Ａと、用紙Ｐの両側部をガイドする一対のサイドフェンス６Ｂとを有している。
【００２７】
ここで、本発明の特徴部であるクリーニング装置１１Ａ，１１Ｂについて説明する。なお、上述したようにクリーニング装置１１Ａとクリーニング装置１１Ｂとは同様の構成であるので、クリーニング装置１１Ａについてのみ説明を行い、クリーニング装置１１Ｂの説明は省略する。
【００２８】
図２は、クリーニング装置１１Ａの概略正面図である。クリーニング装置１１Ａは、クリーニングマガジン２１とクリーニング液供給装置２２とから主に構成されている。
【００２９】
クリーニングマガジン２１は、カバー２３、ウェブロール支持部２４、ウェブロール巻き取り部２５、テンションローラ対２６、ウェブ押圧機構２７等を有している。
【００３０】
クリーニングマガジン２１の外装をなすカバー２３は、印刷装置本体２に取り付けられたマガジンガイド２８に対して着脱自在に構成されており、その内部にウェブロール支持部２４、ウェブロール巻き取り部２５、テンションローラ対２６、及びウェブ押圧機構２７を収納している。カバー２３はウェブ押圧機構２７が外部に臨むことが可能となるように開口２３ａを有しており、開口２３ａの近傍に位置する端部２３ｂ，２３ｃは、図３に示すように、ウェブロール支持部２４及びウェブロール巻き取り部２５に対するウェブロール２９ａの着脱が容易となるように、それぞれ開放可能に構成されている。
【００３１】
ウェブロール支持部２４はカバー２３の内部上部に配設されており、転写ドラム１０Ａの表面を拭き取ってクリーニングするウェブ２９をロール状に巻成してなるウェブロール２９ａの芯部２９ｂを回転自在かつ着脱自在に支持する。ウェブロール巻き取り部２５は、ウェブ２９の一端が固着された芯部２９ｃを回転自在かつ着脱自在に支持し、ステッピングモータ３０によって図２の矢印方向に間欠的に回転駆動される。
【００３２】
テンションローラ対２６は、それぞれ回転自在な２つのローラを互いに圧接して構成され、ウェブ２９が逆Ｓ字状に巻き掛けられる各ローラは、ウェブ２９に対して張力を付与する方向にそれぞれ揺動可能に支持されている。上述したウェブロール支持部２４、ウェブロール巻き取り部２５、テンションローラ対２６及びステッピングモータ３０によってウェブ搬送機構が構成される。
【００３３】
ウェブ押圧機構２７は、搬送ローラ３１、押圧ローラ３２、支持アーム３３等を有している。搬送ローラ３１は、カバー２３の内部に揺動自在に支持された支軸３４に図示しない軸受を介して回転自在に支持されている。押圧ローラ３２はその支軸３２ａの両端を一対の支持アーム３３の一端にそれぞれ回転自在に支持されており、各支持アーム３３の他端はそれぞれ支軸３４に取り付けられている。搬送ローラ３１と押圧ローラ３２とは、両ローラに巻き掛けられるウェブが開口２３ａに臨むようにその配設位置が定められている。カバー２３の内部であって支軸３４の近傍には、押圧ローラ３２が転写ドラム１０Ａの周面に接触する接触位置と押圧ローラ３２が転写ドラム１０Ａの周面から離間する離間位置とに各支持アーム３３を揺動させる図示しない揺動手段と、接触位置において押圧ローラ３２が転写ドラム１０Ａに対して所定の圧接力で圧接するように各支持アーム３３を付勢する図示しない付勢手段とが配設されている。
【００３４】
上述の構成より、クリーニングマガジン２１が印刷装置本体２に対して着脱自在であるので、ウェブの初期セットを容易に行うことができ、また、カバー２３のウェブロール２９ａを支持する部位の近傍が開閉自在であるので、ウェブロール２９ａの交換を容易に行うことができる。
【００３５】
クリーニング液供給装置２２は、図２及び図４に示すように、クリーニング液３５を貯留する貯留部としてのクリーニング液ボトル３６、クリーニング液ボトル３６の内部からクリーニング液を汲み上げて送り出すポンプ３７、クリーニング液ボトル３６とポンプ３７とを連結する汲み上げ用パイプ３８、ポンプ３７からのクリーニング液３５を送る送り出し用パイプ３９、一端を送り出し用パイプ３９に接続され他端が閉塞された配液パイプ４０等を有している。
【００３６】
クリーニング液ボトル３６は、印刷装置本体２の前側側板４１と側板４２との間に固定されたコ字形状のブラケット４３に取り付けられており、その一部が前側側板４１より突出して配置され、この位置にクリーニング液３５を補給するための補給口３６ａが設けられている。クリーニング液ボトル３６の下部には枕部材４４が設けられており、内部のクリーニング液３５が補給口３５ａ側に偏るように構成されている。
【００３７】
補給口３６ａにはねじが形成されており、ここにはキャップ４５がｓ螺合されている。また、キャップ４５には穴部が形成されており、この穴部には一端をポンプ３７に接続された汲み上げ用パイプ３８の他端側が嵌合されていて、汲み上げ用パイプ３８の他端はクリーニング液ボトル３６の底面近傍に達している。
【００３８】
ポンプ３７は、ブラケット４３の上部に取付部材４６を介して取り付けられている。ポンプ３７としては、ボリュートタイプのポンプは不向きであり、規定量を間欠的に送出可能なタイプのものが用いられる。ポンプ３７の送出口には、送り出し用パイプ３９の一端が接続されている。
【００３９】
送り出し用パイプ３９の他端には配液パイプ４０の一端が接続されている。他端が閉塞された配液パイプ４０には、図５に示すように多数の噴出口４０ａがそれぞれ均一の間隔で配設されている。配液パイプ４０は、各噴出口４０ａが開口２３ａに位置するウェブ２９に対向するようにその配設位置が定められている。
【００４０】
ブラケット４３の上部であってクリーニング液ボトル３６のほぼ中程に対応する位置には、ブラケット４７を介してセンサ４８が取り付けられている。センサ４８取付位置の下方であってクリーニング液ボトル３６の内部には、検出板４９が回動自在に取り付けられている。検出板４９は、その一端４９ａをクリーニング液ボトル３６及びブラケット４３に形成された図示しない開口から上方に向けて突出可能に構成されており、他端にはクリーニング液３５の液面上に浮上するフロート５０が取り付けられている。この構成より、クリーニング液ボトル３６内のクリーニング液３５が規定量以下となると、フロート５０が下降すると共に上昇した一端４９ａがセンサ４８に検知される。これによりクリーニング液３５の残量を検知することができる。これらセンサ４８、検出板４９、フロート５０によって残量検知手段５１が構成される。
【００４１】
上述の構成に基づき、以下に本実施例における印刷装置１の動作を説明する。オペレータにより図示しない操作パネル上のスタートキーが押下されると、図示しない画像読取部において原稿画像が読み取られる。読み取られた原稿画像は図示しない画像メモリ内に記憶された後に呼び出され、呼び出された画像データに基づいて書き込み装置８Ａにより版ドラム７Ａ上に巻装された図示しない印刷用版に対して画像の書き込みが行われる。なお、以下の動作説明では特に必要がない限り画像形成部３Ａにおける動作のみを説明し、画像形成部３Ｂにおける動作についてはその説明を省略する。
【００４２】
書き込み装置８Ａによる画像の書き込みが完了すると、図示しない移動手段が作動して現像ローラが版ドラム７Ａに圧接され、版ドラム７Ａ上の図示しない印刷用版に形成された画像が赤色のインキで現像されると共に版ドラム７Ａが転写ドラム１０Ａに圧接され、転写ドラム１０Ａ上の転写部材にインキ画像が転写される。
【００４３】
上述の動作とほぼ同時に、給紙部４からは給紙ローラ１２の作動により給紙トレイ２０上の用紙Ｐが１枚ずつ給送される。給送された用紙Ｐは、給紙部４とほぼ同時に作動を開始した用紙搬送部５へと送られ、各くわえ爪１８Ａ，１８Ｂの閉塞動作と同期して給紙ローラ１２が回転することにより、その先端部を各くわえ爪１８Ａ，１８Ｂの何れか一方（本実施例ではくわえ爪１８Ａとする）に保持される。
【００４４】
給送された用紙Ｐは、くわえ爪１８Ａに先端部を保持された状態で無端ベルト１５の移動に伴い図１の左方に向けて搬送される。そして、用紙Ｐの画像形成領域が転写ドラム１０Ａ上に転写されたインキ画像と対応する所定位置まで無端ベルト１５が移動すると、図示しない揺動手段が作動してプレスローラ１６Ａが転写ドラム１０Ａに対して圧接し、用紙Ｐの上面に転写ドラム１０Ａ上に転写された赤色のインキ画像が転写される。画像を転写された用紙Ｐは分離ローラ１９Ａにより転写ドラム１０Ａ上より剥離されつつ、無端ベルト１５の移動によりさらに左方に向けて搬送される。その後、同様に用紙Ｐの画像形成領域が転写ドラム１０Ｂ上に転写されたインキ画像と対応する所定位置まで無端ベルト１５が移動すると、図示しない揺動手段が作動してプレスローラ１６Ｂが転写ドラム１０Ｂに対して圧接し、用紙Ｐに転写ドラム１０Ｂ上に転写された黒色のインキ画像が転写される。
【００４５】
赤色と黒色の２色のインキ画像を転写された用紙Ｐは、分離ローラ１９Ｂにより転写ドラム１０Ｂより剥離された後、所定のタイミングでくわえ爪１８Ａが開放されることにより保持状態を解除され、用紙搬送ローラ対１７によって排紙トレイ６に向けて排出される。排出された用紙Ｐは、その先端をエンドフェンス６ａに当接させた後に落下し、サイドフェンス６ｂで揃えられつつ積載される。
【００４６】
給紙部４は、次のくわえ爪（本実施例ではくわえ爪１８Ｂ）の閉塞動作と同期して給紙ローラ１２を回転させ、設定された印刷枚数が消化されるまで給紙動作を繰り返す。給紙部４より給送された用紙Ｐは、各くわえ爪１８Ａ，１８Ｂにその先端部を交互に保持され、上述と同様に次々と２色画像を転写されて排紙トレイ６上に積載される。
【００４７】
設定された枚数の印刷が完了すると、図示しない移動手段が作動して現像ローラが版ドラム７Ａから離隔されると共に版ドラム７Ａが転写ドラム１０Ａから離隔される。版ドラム７Ａと転写ドラム１０Ａとが離隔状態となると、ポンプ３７が作動して配液パイプ４０の噴出口４０ａからクリーニング液３５がウェブ２９に向けて噴出されると共に、転写ドラム１０Ａが低速で回転駆動される。その後、図示しない揺動手段が作動して押圧ローラ３２が回転している転写ドラム１０Ａに接触し、クリーニング液３５を吹き掛けられた濡れたウェブ２９と転写ドラム１０Ａ上の転写部材とが接触する。
【００４８】
押圧ローラ３２が接触位置を占め、濡れたウェブ２９が転写部材に接触して所定時間が経過することにより、転写部材表面に付着したインキがクリーニング液３５によって溶かされる。その後、ステッピングモータ３０が作動してウェブロール巻き取り部２５が所定量回転駆動され、ウェブ２９が巻き取られる。巻き取られて乾燥した部分が露出したウェブ２９は、クリーニング液３５によって溶かされた転写部材表面の残留インキを拭き取り、これによりクリーニング動作が完了する。このようなクリーニング工程とすることにより、ウェブ２９の使用量は、Ａ３サイズ対応の転写ドラム１０Ａにおいて、濡れた部分が２０ｍｍ、乾燥した部分が８０ｍｍの計１００ｍｍ程度で済み、非常に経済的である。また、クリーニング液３５の使用量も１回当たり１０ｇ程度で済む。
【００４９】
上述のクリーニング工程において、クリーニング液３５が使用されてその残量が残り僅かとなると、フロート５０が下降すると共に一端４９ａが上昇し、この一端４９ａがセンサ４８に検知される。センサ４８が一端４９ａを検知すると図示しない操作パネルにクリーニング液３５の残量が少なくなったことが表示され、これによりオペレータはクリーニング液３５の補給を的確に行うことができる。このクリーニング液３５の補給時において、補給口３６ａが装置前部に位置しているので、その補給を容易に行うことができる。
【００５０】
上述の構成とすることにより、クリーニングマガジン２１が印刷装置本体２に対して着脱自在であるので、ウェブの初期セットを容易に行うことができる。また、カバー２３のウェブロール２９ａを支持する部位の近傍が開閉自在であるので、ウェブロール２９ａの交換を容易に行うことができる。
【００５１】
上記実施例では、残量検知手段５１によってクリーニング液ボトル３６内のクリーニング液３５の残量を検知する構成としたが、クリーニング液ボトル３６の補給口３６ａ近傍であって印刷装置本体２の外側から見える位置に窓部を設け、クリーニング液３５の残量を目視によって確認する構成、あるいはクリーニング液ボトル３６を透明な樹脂等の材質によって構成し、クリーニング液３５の残量を目視によって確認する構成としてもよい。
【００５２】
【発明の効果】
本発明によれば、クリーニング装置を構成する、内部にウェブ及びウェブ搬送機構及びウェブ押圧機構を有するクリーニングマガジンが印刷装置本体に対して着脱自在であるので、ウェブの初期セットを容易に行うことができる。
【図面の簡単な説明】
【図１】本発明の一実施例を採用した印刷装置の概略正面図である。
【図２】本発明の一実施例に用いられるクリーニング装置の概略断面図である。
【図３】本発明の一実施例に用いられるクリーニングマガジンを説明するための概略断面図である。
【図４】本発明の一実施例に用いられるクリーニング液供給装置を説明するための概略側断面図である。
【図５】本発明の一実施例に用いられる配液パイプを説明する概略図である。
【符号の説明】
１  印刷装置
２  印刷装置本体
７Ａ，７Ｂ  版ドラム
９Ａ，９Ｂ  現像装置
１０Ａ，１０Ｂ  転写ドラム
１１Ａ，１１Ｂ  クリーニング装置
２１  クリーニングマガジン
２２  クリーニング液供給装置
２３  カバー
２３ａ  開口
２７  ウェブ押圧機構
２９  ウェブ
２９ａ  ウェブロール
３５  クリーニング液
３６  貯留部（クリーニング液ボトル）
３６ａ  補給口
３７  ポンプ
４０  配液パイプ
４０ａ  噴出口
５１  残量検知手段
【図１】
2005035142.tif 000003
【図２】
2005035142.tif 000004
【図３】
2005035142.tif 000005
【図４】
2005035142.tif 000006
【図５】
2005035142.tif 000007